(57)【要約】【課題】受信側で視認しにくい高解像度のセキュリティコードを画像に重畳させることができる画像形成装置を提供する。【解決手段】ＦＡＸの画像データを受信すると（Ｓ１０１）、画像データにセキュリティコードが重畳されているかどうかを確認する（Ｓ１０３）。重畳されている場合には、セキュリティコードの内容を保持し（Ｓ１０７）、重畳されているセキュリティコードを画像から消去する（Ｓ１０９）。保持されたセキュリティコードと同じ情報をもつ高解像度のセキュリティコードを生成する（Ｓ１１１）。ＦＡＸ画像は、高解像の画像に変換される（Ｓ１１３）。高解像に変換されたＦＡＸ画像と、高解像度のセキュリティコードが合成されて、印字される（Ｓ１１５，Ｓ１１７）。【選択図】図７
2007251548.tif 000002
【特許請求の範囲】
【請求項１】
ファクシミリ情報を受信し、画像をプリント出力する画像形成装置であって、
受信したファクシミリの画像データに重畳されたセキュリティコードを読取るセキュリティコード読取手段と、
前記セキュリティコードを前記画像データから消去するセキュリティコード消去手段と、
読取ったセキュリティコードの内容を、異なる解像度のセキュリティコードに変換する第１のセキュリティコード生成手段と、
前記画像データの解像度を変換する画像データ解像度変換手段と、
前記変換後のセキュリティコードを、解像度変換後の画像データに重畳する第１のセキュリティコード合成手段とを備えた、画像形成装置。
【請求項２】
受信したファクシミリのプロトコルに含まれているセキュリティ情報を識別するセキュリティ情報識別手段と、
前記セキュリティ情報に基づいてセキュリティコードを生成する第２のセキュリティコード生成手段と、
前記生成されたセキュリティコードを、解像度変換後の画像データに重畳する第２のセキュリティコード合成手段とを備えた、請求項１に記載の画像形成装置。
【請求項３】
ファクシミリ情報を受信し、画像をプリント出力する画像形成装置であって、
受信したファクシミリのプロトコルに含まれているセキュリティ情報を識別するセキュリティ情報識別手段と、
前記セキュリティ情報に基づいてセキュリティコードを生成するセキュリティコード生成手段と、
受信したファクシミリの画像データの解像度を変換する画像データ解像度変換手段と、
前記生成されたセキュリティコードを、解像度変換後の画像データに重畳するセキュリティコード合成手段とを備えた、画像形成装置。
【請求項４】
画像をファクシミリ情報として送信することが可能な画像形成装置であって、
セキュリティコードを生成し、送信する画像データに前記セキュリティコードを埋め込む埋め込み手段と、
前記セキュリティコードが埋め込まれた画像データを送信する送信手段と、
受信側装置がセキュリティ情報をプロトコルとして受信可能であるかどうかを判定するセキュリティ情報送信方法判定手段と、
プロトコルとしてセキュリティ情報を送信するセキュリティ情報送信手段と、
受信側装置がプロトコルとしてセキュリティ情報を受信可能である場合には、セキュリティ情報をプロトコルとして送信し、そうでない場合にはセキュリティコードを画像データに重畳して送信するセキュリティ情報送信方法選択手段とを備えた、画像形成装置。
【請求項５】
ファクシミリ情報を受信し、画像をプリント出力する画像形成装置の制御方法であって、
受信したファクシミリの画像データに重畳されたセキュリティコードを読取るセキュリティコード読取ステップと、
前記セキュリティコードを前記画像データから消去するセキュリティコード消去ステップと、
読取ったセキュリティコードの内容を、異なる解像度のセキュリティコードに変換するセキュリティコード生成ステップと、
前記画像データの解像度を変換する画像データ解像度変換ステップと、
前記変換後のセキュリティコードを、解像度変換後の画像データに重畳するセキュリティコード合成ステップとを備えた、画像形成装置の制御方法。
【請求項６】
ファクシミリ情報を受信し、画像をプリント出力する画像形成装置の制御方法であって、
受信したファクシミリのプロトコルに含まれているセキュリティ情報を識別するセキュリティ情報識別ステップと、
前記セキュリティ情報に基づいてセキュリティコードを生成するセキュリティコード生成ステップと、
受信したファクシミリの画像データの解像度を変換する画像データ解像度変換ステップと、
前記生成されたセキュリティコードを、前記解像度変換後の画像データに重畳するセキュリティコード合成ステップとを備えた、画像形成装置の制御方法。
【請求項７】
画像をファクシミリ情報として送信することが可能な画像形成装置の制御方法であって、
セキュリティコードを生成し、送信する画像データに前記セキュリティコードを埋め込む埋め込みステップと、
前記セキュリティコードが埋め込まれた画像データを送信する送信ステップと、
受信側装置がセキュリティ情報をプロトコルとして受信可能であるかどうかを判定するセキュリティ情報送信方法判定ステップと、
プロトコルとしてセキュリティ情報を送信するセキュリティ情報送信ステップと、
受信側装置がプロトコルとしてセキュリティ情報を受信可能である場合には、セキュリティ情報をプロトコルとして送信し、そうでない場合にはセキュリティコードを画像データに重畳して送信するセキュリティ情報送信方法選択ステップとを備えた、画像形成装置の制御方法。
【請求項８】
ファクシミリ情報を受信し、画像をプリント出力する画像形成装置の制御プログラムであって、
受信したファクシミリの画像データに重畳されたセキュリティコードを読取るセキュリティコード読取ステップと、
前記セキュリティコードを前記画像データから消去するセキュリティコード消去ステップと、
読取ったセキュリティコードの内容を、異なる解像度のセキュリティコードに変換するセキュリティコード生成ステップと、
前記画像データの解像度を変換する画像データ解像度変換ステップと、
前記変換後のセキュリティコードを、解像度変換後の画像データに重畳するセキュリティコード合成ステップとをコンピュータに実行させる、画像形成装置の制御プログラム。
【請求項９】
ファクシミリ情報を受信し、画像をプリント出力する画像形成装置の制御プログラムであって、
受信したファクシミリのプロトコルに含まれているセキュリティ情報を識別するセキュリティ情報識別ステップと、
前記セキュリティ情報に基づいてセキュリティコードを生成するセキュリティコード生成ステップと、
受信したファクシミリの画像データの解像度を変換する画像データ解像度変換ステップと、
前記生成されたセキュリティコードを、前記解像度変換後の画像データに重畳するセキュリティコード合成ステップとをコンピュータに実行させる、画像形成装置の制御プログラム。
【請求項１０】
画像をファクシミリ情報として送信することが可能な画像形成装置の制御プログラムであって、
セキュリティコードを生成し、送信する画像データに前記セキュリティコードを埋め込む埋め込みステップと、
前記セキュリティコードが埋め込まれた画像データを送信する送信ステップと、
受信側装置がセキュリティ情報をプロトコルとして受信可能であるかどうかを判定するセキュリティ情報送信方法判定ステップと、
プロトコルとしてセキュリティ情報を送信するセキュリティ情報送信ステップと、
受信側装置がプロトコルとしてセキュリティ情報を受信可能である場合には、セキュリティ情報をプロトコルとして送信し、そうでない場合にはセキュリティコードを画像データに重畳して送信するセキュリティ情報送信方法選択ステップとをコンピュータに実行させる、画像形成装置の制御プログラム。
【発明の詳細な説明】
【技術分野】
【０００１】
この発明は、画像形成装置、画像形成装置の制御方法、および画像形成装置の制御プログラムに関し、特に、セキュリティコードを通信に用いることができる画像形成装置、画像形成装置の制御方法、および画像形成装置の制御プログラムに関する。
【背景技術】
【０００２】
従来のＦＡＸ（ファクシミリ）送受信機能を有する画像形成装置（ＭＦＰ(Multi Function Peripherals)、ファクシミリ装置など）は、ＦＡＸ送信時の画像データ量を軽減するため、一般に低解像度でＦＡＸ送信を行なう機能を有している。
【０００３】
以下の特許文献１は、原稿に付加されて送信された専用送付票に含まれるデータを認識し、そのデータから原稿の機密保持が必要であると判断されたときに、画情報にセキュリティコードを付加して記憶装置に格納するファクシミリ装置を開示している。
【特許文献１】特許第３０２７９４３号公報
【発明の開示】
【発明が解決しようとする課題】
【０００４】
ＦＡＸ送信を行なうときに、地紋コードなどのセキュリティコードを画像データに埋め込むことが考えられる。セキュリティコードは、埋め込まれていることが判らないように細かいドットなどで構成されることが望ましい。
【０００５】
従来のＦＡＸ送受信方法では、セキュリティコードを画像データに埋め込んでＦＡＸ送受信する場合、低解像度の画像データの送受信となるため、セキュリティコードが粗くなり、視認しにくい形状で構成することが出来ないという問題があった。
【０００６】
本発明は上記問題点を解決するためになされたものであり、適切なセキュリティコードを画像に重畳させることができる画像形成装置、画像形成装置の制御方法、および画像形成装置の制御プログラムを提供することを目的としている。
【課題を解決するための手段】
【０００７】
上記目的を達成するためこの発明のある局面に従うと、画像形成装置は、ファクシミリ情報を受信し、画像をプリント出力する画像形成装置であって、受信したファクシミリの画像データに重畳されたセキュリティコードを読取るセキュリティコード読取手段と、セキュリティコードを画像データから消去するセキュリティコード消去手段と、読取ったセキュリティコードの内容を、異なる解像度のセキュリティコードに変換する第１のセキュリティコード生成手段と、画像データの解像度を変換する画像データ解像度変換手段と、変換後のセキュリティコードを、解像度変換後の画像データに重畳する第１のセキュリティコード合成手段とを備える。
【０００８】
好ましくは画像形成装置は、受信したファクシミリのプロトコルに含まれているセキュリティ情報を識別するセキュリティ情報識別手段と、セキュリティ情報に基づいてセキュリティコードを生成する第２のセキュリティコード生成手段と、生成されたセキュリティコードを、解像度変換後の画像データに重畳する第２のセキュリティコード合成手段とを備える。
【０００９】
この発明の他の局面に従うと画像形成装置は、ファクシミリ情報を受信し、画像をプリント出力する画像形成装置であって、受信したファクシミリのプロトコルに含まれているセキュリティ情報を識別するセキュリティ情報識別手段と、セキュリティ情報に基づいてセキュリティコードを生成するセキュリティコード生成手段と、受信したファクシミリの画像データの解像度を変換する画像データ解像度変換手段と、生成されたセキュリティコードを、解像度変換後の画像データに重畳するセキュリティコード合成手段とを備える。
【００１０】
この発明のさらに他の局面に従うと画像形成装置は、画像をファクシミリ情報として送信することが可能な画像形成装置であって、セキュリティコードを生成し、送信する画像データにセキュリティコードを埋め込む埋め込み手段と、セキュリティコードが埋め込まれた画像データを送信する送信手段と、受信側装置がセキュリティ情報をプロトコルとして受信可能であるかどうかを判定するセキュリティ情報送信方法判定手段と、プロトコルとしてセキュリティ情報を送信するセキュリティ情報送信手段と、受信側装置がプロトコルとしてセキュリティ情報を受信可能である場合には、セキュリティ情報をプロトコルとして送信し、そうでない場合にはセキュリティコードを画像データに重畳して送信するセキュリティ情報送信方法選択手段とを備える。
【００１１】
この発明のさらに他の局面に従うと、画像形成装置の制御方法は、ファクシミリ情報を受信し、画像をプリント出力する画像形成装置の制御方法であって、受信したファクシミリの画像データに重畳されたセキュリティコードを読取るセキュリティコード読取ステップと、セキュリティコードを画像データから消去するセキュリティコード消去ステップと、読取ったセキュリティコードの内容を、異なる解像度のセキュリティコードに変換するセキュリティコード生成ステップと、画像データの解像度を変換する画像データ解像度変換ステップと、変換後のセキュリティコードを、解像度変換後の画像データに重畳するセキュリティコード合成ステップとを備える。
【００１２】
この発明のさらに他の局面に従うと、画像形成装置の制御方法は、ファクシミリ情報を受信し、画像をプリント出力する画像形成装置の制御方法であって、受信したファクシミリのプロトコルに含まれているセキュリティ情報を識別するセキュリティ情報識別ステップと、セキュリティ情報に基づいてセキュリティコードを生成するセキュリティコード生成ステップと、受信したファクシミリの画像データの解像度を変換する画像データ解像度変換ステップと、生成されたセキュリティコードを、解像度変換後の画像データに重畳するセキュリティコード合成ステップとを備える。
【００１３】
この発明のさらに他の局面に従うと、画像形成装置の制御方法は、画像をファクシミリ情報として送信することが可能な画像形成装置の制御方法であって、セキュリティコードを生成し、送信する画像データにセキュリティコードを埋め込む埋め込みステップと、セキュリティコードが埋め込まれた画像データを送信する送信ステップと、受信側装置がセキュリティ情報をプロトコルとして受信可能であるかどうかを判定するセキュリティ情報送信方法判定ステップと、プロトコルとしてセキュリティ情報を送信するセキュリティ情報送信ステップと、受信側装置がプロトコルとしてセキュリティ情報を受信可能である場合には、セキュリティ情報をプロトコルとして送信し、そうでない場合にはセキュリティコードを画像データに重畳して送信するセキュリティ情報送信方法選択ステップとを備える。
【００１４】
この発明のさらに他の局面に従うと、画像形成装置の制御プログラムは、ファクシミリ情報を受信し、画像をプリント出力する画像形成装置の制御プログラムであって、受信したファクシミリの画像データに重畳されたセキュリティコードを読取るセキュリティコード読取ステップと、セキュリティコードを画像データから消去するセキュリティコード消去ステップと、読取ったセキュリティコードの内容を、異なる解像度のセキュリティコードに変換するセキュリティコード生成ステップと、画像データの解像度を変換する画像データ解像度変換ステップと、変換後のセキュリティコードを、解像度変換後の画像データに重畳するセキュリティコード合成ステップとをコンピュータに実行させる。
【００１５】
この発明のさらに他の局面に従うと、画像形成装置の制御プログラムは、ファクシミリ情報を受信し、画像をプリント出力する画像形成装置の制御プログラムであって、受信したファクシミリのプロトコルに含まれているセキュリティ情報を識別するセキュリティ情報識別ステップと、セキュリティ情報に基づいてセキュリティコードを生成するセキュリティコード生成ステップと、受信したファクシミリの画像データの解像度を変換する画像データ解像度変換ステップと、生成されたセキュリティコードを、解像度変換後の画像データに重畳するセキュリティコード合成ステップとをコンピュータに実行させる。
【００１６】
この発明のさらに他の局面に従うと、画像形成装置の制御プログラムは、画像をファクシミリ情報として送信することが可能な画像形成装置の制御プログラムであって、セキュリティコードを生成し、送信する画像データにセキュリティコードを埋め込む埋め込みステップと、セキュリティコードが埋め込まれた画像データを送信する送信ステップと、受信側装置がセキュリティ情報をプロトコルとして受信可能であるかどうかを判定するセキュリティ情報送信方法判定ステップと、プロトコルとしてセキュリティ情報を送信するセキュリティ情報送信ステップと、受信側装置がプロトコルとしてセキュリティ情報を受信可能である場合には、セキュリティ情報をプロトコルとして送信し、そうでない場合にはセキュリティコードを画像データに重畳して送信するセキュリティ情報送信方法選択ステップとをコンピュータに実行させる。
【発明の効果】
【００１７】
これらの発明に従うと、適切なセキュリティコードを画像に重畳させることができる画像形成装置、画像形成装置の制御方法、および画像形成装置の制御プログラムを提供することが可能となる。
【発明を実施するための最良の形態】
【００１８】
［第１の実施の形態］
以下、本発明の第１の実施の形態におけるＭＦＰについて説明する。
【００１９】
本実施の形態におけるＭＦＰは、地紋コードなどのセキュリティコード（セキュリティ情報）を含むＦＡＸ送受信を行なうことが可能である。ＭＦＰは、視認性の高い低解像度セキュリティコードが重畳されたＦＡＸ画像を印字する場合には、それを視認性の低い高解像度セキュリティコードに差し替えて印字する。
【００２０】
図１は、ＭＦＰにおけるＦＡＸ送信イメージを示す図であり、図２は、ＭＦＰにおけるＦＡＸ受信イメージを示す図である。
【００２１】
図１に示されるように、送信時には、ＦＡＸする原稿Ｄはスキャナ１０３の原稿読取面に直接セットされる、もしくはＡＤＦ（Auto Document Feeder）やＥＤＧ（Electronic Document Handler）１０１がＭＦＰに付随する場合には、原稿吸引口に原稿Ｄがセットされて原稿Ｄがスキャンされる。スキャンされた原稿はＦＡＸ画像として電話回線やインターネット回線１０７を通じて送信される。
【００２２】
図２に示されるように、ＦＡＸ受信した画像データはプリントエンジン１０５により自動的に印字、あるいは一旦メモリやハードディスクに保持され、プリント指示によって印字される。これにより印刷物Ｐを得ることができる。
【００２３】
図３は、ＭＦＰのハードウェア構成を示すブロック図である。
図を参照して、ＭＦＰは、装置全体を制御する制御部５０６と、原稿から画像データを読取るイメージリーダ部５０１と、用紙上に画像を印刷するプリンタ部５０２と、近距離の無線通信を行なったり、ＭＦＰをネットワークや電話回線に接続するための通信部５０３と、ジョブデータなどを記憶するための記憶部５０４と、ユーザとのインターフェースである操作パネル５０５と、消耗品の残量などを検出するセンサ部５０７とを含む。
【００２４】
図４は、ＭＦＰの機能構成を示すブロック図である。
図を参照してＭＦＰは、ファクシミリ信号を送受信するＦａｘＩ／Ｆ部２０１と、ファクシミリ受信した画像中に含まれた低解像度のセキュリティコードの内容を読取るセキュリティコード読取部２０２と、読取られたセキュリティコードに基づいて高解像度のセキュリティコードを生成するセキュリティコード生成部２０４と、ファクシミリ受信した画像中に含まれた低解像度のセキュリティコードを消去するセキュリティコード消去部２０３と、ファクシミリ受信した画像の解像度を変換する解像度変換部２０５と、セキュリティコード生成部２０４で生成されたセキュリティコードと、解像度変換された画像とを合成するセキュリティコード合成部２０６と、セキュリティコードが合成された画像を印字する印字部２０７とを備える。
【００２５】
図５は、ＭＦＰが扱う、（１）送信時、（２）受信したデータのセキュリティコード消去処理後、および（３）印刷時の原稿イメージを示す図である。
【００２６】
送信時には画像にセキュリティコードが付加されるが、ＦＡＸが低解像度モードの場合、セキュリティコードも低解像度となる。低解像度のセキュリティコードを受信後そのままプリントすると、セキュリティコードが粗くなり、視認性が高くなる。このため、低解像度のセキュリティコードは、受信後その内容を読取った後消去する。
【００２７】
印字時には低解像度のＦＡＸ画像は、高解像度画像に解像度変換される。消去されたセキュリティコードの内容は、ＦＡＸ画像の解像度に合わせた高解像度セキュリティコードとされ、ＦＡＸ画像に重畳される。
【００２８】
たとえば元のセキュリティコードが６００ｄｐｉであることを考える。ＦＡＸ送信時にセキュリティコードが２００ｄｐｉの低解像度になるとすると、６００ｄｐｉのときと同じデータ量のセキュリティコードを埋め込む場合には、主および副方向にそれぞれ３倍のサイズが必要となり、セキュリティコードが粗い画像となって人の目に識別されやすくなってしまい、原稿を読む際に妨げとなり得る。
【００２９】
そこで本実施の形態のＭＦＰにおいては、セキュリティコードが埋め込まれたＦＡＸ画像を受信した際には、重畳されたセキュリティコードを認識した後、そのセキュリティコードを削除する。認識されたセキュリティコードは、人の目に識別されにくい高解像度のセキュリティコードに変換され、それが再度ＦＡＸ画像に埋め込まれてプリントされる。
【００３０】
図６は、セキュリティコードの具体例を示す図である。
たとえば、図６のように１６ドット×１６ドットを１つの単位としてセキュリティコードを生成すれば、１ドットの点を打つ、打たないによって１ビットデータを表現できるので、１６×１６＝２５６ビットのデータを含めることが可能になる。
【００３１】
画像に対して、このセキュリティコードが繰返されて全面に、あるいは一部（原稿の周囲など）に埋め込まれる。原稿の一部をセキュリティコードで埋める方法としては、原稿の明度値とスレッショルド値を比較する方法などが考えられる。すなわち原稿のＲＧＢの値から明度Ｙを求め、明度Ｙとスレッショルド値Ｔｈとを比較し、Ｙ＞Ｔｈとなる条件のところにのみセキュリティコードを印字すれば、原稿の明度が高い部分＝白い下地の部分に選択的にセキュリティコードを埋め込むことが可能となる。このような処理によると、原稿の全面にセキュリティコードを重畳することがなくなるため、もともと原稿に含まれていた情報量の低下を防ぐことが可能となる。
【００３２】
図７は、本実施の形態におけるＭＦＰのファクシミリ受信処理を示すフローチャートである。
【００３３】
ステップＳ１０１において、ＦａｘＩ／Ｆ部２０１によりＦＡＸの画像データを受信する。ステップＳ１０３において、セキュリティコード読取部２０２は受信したデータにセキュリティコードが重畳されているかどうかを確認する。重畳されている場合には（Ｓ１０３でＹＥＳ）、ステップＳ１０７でそのセキュリティコードの内容を保持する。セキュリティコードの読取は、解像度からセキュリティコードの繰り返し領域（図６の場合は１６×１６ドットなど）を決定し、孤立点パターンを認識することによって行なわれる。
【００３４】
ステップＳ１０９において、重畳されているセキュリティコードが、セキュリティコード消去部２０３によってＦＡＸ画像から消去される。消去する際、セキュリティコードが重畳されている部分の元データは失われているため、近接画素からの補間処理等によって画素を生成する。
【００３５】
ステップＳ１１１において、セキュリティコード生成部２０４は、読み取ったセキュリティコードと同じ情報をもつ高解像度のセキュリティコードを生成する。ステップＳ１１３においてＦＡＸ画像は、解像度変換部２０５により高解像の画像に変換される。
【００３６】
ステップＳ１１５において、高解像に変換されたＦＡＸ画像と、高解像度のセキュリティコードはセキュリティコード合成部２０６によって合成される。合成は、セキュリティコードの黒ドット部分を黒に置換することによって行なわれる。
【００３７】
ステップＳ１１７において、セキュリティコードが重畳された画像は、印字部２０７によって印字される。
【００３８】
また、ステップＳ１０３でＮＯであれば、ステップＳ１０５でＦＡＸ画像が解像度変換部２０５により高解像の画像に変換され、ステップＳ１１７で印字される。
【００３９】
このような処理により、低解像度のセキュリティコードを削除し、視認性の低い高解像度のセキュリティコードを画像情報に重畳することが可能となる。
【００４０】
［第２の実施の形態］
図８は、第２の実施の形態におけるＭＦＰの機能構成を示すブロック図である。
【００４１】
図を参照して本実施の形態におけるＭＦＰは、ファクシミリ信号を受信するＦａｘＩ／Ｆ部３０１と、ファクシミリ受信したデータ中に含まれるプロトコルを識別するプロトコル識別部３０２と、識別されたプロトコルに基づいて高解像度のセキュリティコードを生成するセキュリティコード生成部３０４と、ファクシミリ受信した画像の解像度を変換する解像度変換部３０５と、セキュリティコード生成部３０４で生成されたセキュリティコードと、解像度変換された画像とを合成するセキュリティコード合成部３０６と、セキュリティコードが合成された画像を印字する印字部３０７とを備える。
【００４２】
本実施の形態によると、ＦＡＸのプロトコルにセキュリティコード情報を含ませておき、それに基づいて受信側で高解像度のセキュリティコードを生成し、ＦＡＸ画像に合成する。
【００４３】
図９は、第２の実施の形態におけるＭＦＰのファクシミリ受信処理を示すフローチャートである。
【００４４】
ステップＳ２０１において、ＦａｘＩ／Ｆ部３０１によりＦＡＸの画像データを受信する。ステップＳ２０３において、プロトコル識別部３０２は、セキュリティコード情報がプロトコルに含まれているか否かを識別し、含まれている場合には（Ｓ２０３でＹＥＳ）、そのセキュリティコード内容を保持した後、ステップＳ２０７においてセキュリティコード生成部３０４は、読取ったセキュリティコード情報と同じ情報をもつ高解像度のセキュリティコードを生成する。
【００４５】
ステップＳ２０９において、ＦＡＸ画像は、解像度変換部３０５により、高解像の画像に変換される。ステップＳ２１１において、高解像に変換されたＦＡＸ画像と、高解像度のセキュリティコードは、セキュリティコード合成部３０６により合成され、セキュリティコードが重畳された画像となる。
【００４６】
ステップＳ２１３においてステップＳ２１１の画像は、印字部３０７によって印字される。
【００４７】
また、ステップＳ２０３でＮＯであれば、ステップＳ２０５でＦＡＸ画像が解像度変換部３０５により高解像の画像に変換され、ステップＳ２１３で印字される。
【００４８】
このような処理により、視認性の低い高解像度のセキュリティコードを受信側で画像に重畳することが可能となる。
【００４９】
［第３の実施の形態］
図１０は、第３の実施の形態におけるＭＦＰのファクシミリ受信処理を示すフローチャートである。
【００５０】
本実施の形態におけるＭＦＰは、第１および第２の実施の形態におけるＭＦＰ両者の処理方法を実行する。
【００５１】
ステップＳ３０１において、ＦａｘＩ／Ｆ部によりＦＡＸの画像データを受信する。ステップＳ３０３において、プロトコル識別部は、セキュリティコード情報がプロトコルに含まれているか否かを識別し、含まれている場合には（Ｓ３０３でＹＥＳ）、そのセキュリティコード内容を保持した後、ステップＳ３１３においてセキュリティコード生成部は、読取ったセキュリティコード情報と同じ情報をもつ高解像度のセキュリティコードを生成する。
【００５２】
ステップＳ３１５において、ＦＡＸ画像は、解像度変換部により、高解像の画像に変換される。ステップＳ３１７において、高解像に変換されたＦＡＸ画像と、高解像度のセキュリティコードは、セキュリティコード合成部により合成され、セキュリティコードが重畳された画像となる。
【００５３】
ステップＳ３１９においてステップＳ３１７の画像は、印字部によって印字される。
また、ステップＳ３０３でＮＯであれば、ステップＳ３０５において、セキュリティコード読取部は受信したデータにセキュリティコードが重畳されているかどうかを確認する。重畳されている場合には（Ｓ３０５でＹＥＳ）、ステップＳ３０９でそのセキュリティコードの内容を保持する。ステップＳ３１１において、重畳されているセキュリティコードが、セキュリティコード消去部によってＦＡＸ画像から消去される。ステップＳ３１３において、セキュリティコード生成部は、読み取ったセキュリティコードと同じ情報をもつ高解像度のセキュリティコードを生成する。その後、ステップＳ３１５からの処理が行なわれる。
【００５４】
ステップＳ３０５でＮＯであれば、ステップＳ３０７でＦＡＸ画像が解像度変換部により高解像の画像に変換され、ステップＳ３１９で印字される。
【００５５】
［第４の実施の形態］
上記第３の実施の形態のフローチャートでは受信側において、プロトコルに基づいて高解像度のセキュリティコードを印字するか、低解像度のセキュリティコードに基づいて高解像度のセキュリティコードを印字するかを判定することとしたが、送信側のＭＦＰにおいて受信側の機能を把握し、それに基づいて送信側のＭＦＰがプロトコルにより高解像度のセキュリティコード印字の指示を出すか、低解像度のセキュリティコードを重畳して画像データを送信するかを選択するようにしてもよい。
【００５６】
すなわち、送信側のＭＦＰは、受信側のＭＦＰがプロトコルによるセキュリティコードを判別可能かどうか判断する機能を有し、プロトコルによるセキュリティコードが判別可能なＭＦＰにＦＡＸ送信する場合には、セキュリティコードを画像に重畳せず、プロトコルにのみ埋め込んで出力し、プロトコルによるセキュリティコードが判別できないＭＦＰにＦＡＸ送信する場合には、セキュリティコードを画像に重畳する。
【００５７】
図１１は、第４の実施の形態におけるＭＦＰの送信処理を示すフローチャートである。
図を参照して、ステップＳ４０１でファクシミリ送信が行なわれる時には、ステップＳ４０３において受信側のＭＦＰの機能の情報が取得される。ステップＳ４０５において、受信側はプロトコルによるセキュリティ情報の判別が可能なＭＦＰであるかを判定し、ＹＥＳであればステップＳ４０７でプロトコルにセキュリティ情報を埋め込み、ステップＳ４１１で受信側にファクシミリ送信を行なう。
【００５８】
一方ステップＳ４０５でＮＯであれば、ステップＳ４０９において画像にセキュリティ情報を埋め込み、ステップＳ４１１で受信側にファクシミリ送信を行なう。
【００５９】
受信側のＭＦＰにおいてプロトコルのセキュリティ情報を判別し、入力画像を解像度変換した後に、高解像度のセキュリティコードを画像に重畳して出力すれば、低解像度のセキュリティコードの除去にともなう画像の劣化を防ぐことができる。また、受信側のＭＦＰがプロトコルのセキュリティ情報を判別できない場合でも、受信側のＭＦＰはセキュリティコードを重畳した画像を受信することができる。受信側のＭＦＰが画像に重畳されたセキュリティコードを判別できない場合でも、画像には低解像度ではあるが、セキュリティコードが重畳されているため、セキュリティ保持の機能を果たすことが可能となる。
【００６０】
［第５の実施の形態］
図１２は、本発明の第５の実施の形態におけるコンピュータ装置の構成を示すブロック図である。
【００６１】
図を参照して、コンピュータ装置は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００６２】
フレキシブルディスクドライブ６１１により、フレキシブルディスクＦに記録されたプログラムや画像などのデータを読取ることが可能であり、ＣＤ−ＲＯＭドライブ６１３により、ＣＤ−ＲＯＭ６１３ａに記録されたプログラムや画像などのデータを読取ることが可能である。
【００６３】
プログラムは、上述のフローチャートに示される処理を実行し、受信した画像データを処理したり、ＦＡＸ送信を行なう。
【００６４】
［実施の形態における効果］
以上のように本発明の実施の形態によると、セキュリティコードを低解像度のＦＡＸ画像に重畳してＦＡＸ送信した場合でも、受信側の画像形成装置により、高解像度のセキュリティコードを重畳して画像を印字することが可能となる。また、送信するデータ量を増加させることもない。または、プロトコルにセキュリティコードに関する情報を埋め込むことで、受信側の画像形成装置により、高解像度のセキュリティコードを重畳して画像を印字することが可能となる。
【００６５】
［その他］
なお、上述の実施の形態における処理は、ソフトウエアにより行なってもよいし、ハードウエア回路を用いて行なってもよい。
【００６６】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６８】
【図１】ＭＦＰにおけるＦＡＸ送信イメージを示す図である。
【図２】ＭＦＰにおけるＦＡＸ受信イメージを示す図である。
【図３】ＭＦＰのハードウェア構成を示すブロック図である。
【図４】ＭＦＰの機能構成を示すブロック図である。
【図５】ＭＦＰが扱う、送信時、受信したデータのセキュリティコード消去処理後、および印刷時の原稿イメージを示す図である。
【図６】セキュリティコードの具体例を示す図である。
【図７】本実施の形態におけるＭＦＰのファクシミリ受信処理を示すフローチャートである。
【図８】第２の実施の形態におけるＭＦＰの機能構成を示すブロック図である。
【図９】第２の実施の形態におけるＭＦＰのファクシミリ受信処理を示すフローチャートである。
【図１０】第３の実施の形態におけるＭＦＰのファクシミリ受信処理を示すフローチャートである。
【図１１】第４の実施の形態におけるＭＦＰの送信処理を示すフローチャートである。
【図１２】第５の実施の形態におけるコンピュータ装置の構成を示すブロック図である。
【符号の説明】
【００６９】
１０１  ＡＤＦ、１０３  スキャナ、１０５  プリントエンジン、１０７  インターネット回線、２０１  ＦａｘＩ／Ｆ部、２０２  セキュリティコード読取部、２０３  セキュリティコード消去部、２０４  セキュリティコード生成部、２０５  解像度変換部、２０６  セキュリティコード合成部、２０７  印字部、３０１  ＦａｘＩ／Ｆ部、３０２  プロトコル識別部、３０４  セキュリティコード生成部、３０５  解像度変換部、３０６  セキュリティコード合成部、３０７  印字部、Ｄ  原稿、Ｐ  印刷物。
【図１】
2007251548.tif 000003
【図２】
2007251548.tif 000004
【図３】
2007251548.tif 000005
【図４】
2007251548.tif 000006
【図５】
2007251548.tif 000007
【図６】
2007251548.tif 000008
【図７】
2007251548.tif 000009
【図８】
2007251548.tif 000010
【図９】
2007251548.tif 000011
【図１０】
2007251548.tif 000012
【図１１】
2007251548.tif 000013
【図１２】
2007251548.tif 000014